【手続補正書】
【提出日】平成19年5月2日(2007.5.2)
【手続補正１】
【補正対象書類名】特許請求の範囲
【補正対象項目名】全文
【補正方法】変更
【補正の内容】
【特許請求の範囲】
【請求項１】
無線通信システムにおいて休止状態の目標の通信デバイスと情報を交換する方法であって、
無線インフラストラクチャによって休止状態の目標の通信デバイスの位置を特定し、それによって、通信デバイス上のタイマを起動することであって、タイマが、通信デバイスがデータをショートデータバーストフォーマットで送るのを、タイマが切れるまで妨げることと、
通信システム上のタイマを、タイマが切れる前に、無線インフラストラクチャによって取り消して、休止状態の通信デバイスが、情報をショートデータバーストフォーマットで、無線インフラストラクチャへ送付し始めることを可能にすることとを含む方法。
【請求項２】
休止状態の目標の通信デバイスの位置を前記特定することが、一般ページメッセージを休止状態の目標の通信デバイスへ送ることを含む請求項１記載の方法。
【請求項３】
前記一般ページメッセージが、所定のサービスオプションを含み、所定のサービスオプションが、目標の通信デバイスがアクセス状態からアイドル状態へ遷移することを可能にして、通信デバイスが情報をショートデータバーストフォーマットで送付することを可能にするように実施可能であり、タイマを取り消すことが、所定のサービスオプションに基づく請求項２記載の方法。
【請求項４】
通信デバイスから第１の肯定応答メッセージを受信することであって、第１の肯定応答メッセージが、通信デバイスが送付された情報を受信したことを示すことと、
第２の肯定応答メッセージを通信デバイスへ送付することであって、第２の肯定応答メッセージが、第１の肯定応答メッセージの受信を肯定応答することであり、第２の肯定応答メッセージが、所定のサービスオプションに基づいて、タイマを取り消させることとをさらに含む請求項３記載の方法。
【請求項５】
起動したタイマを取り消す前に、無線インフラストラクチャによって情報を休止状態の目標の通信デバイスへ送付することをさらに含み、前記送付することが、無線ネットワークの共通チャネル上で情報を送付することを含む請求項１記載の方法。
【請求項６】
前記送付することが、情報をショートデータバーストとして送付することを含む請求項５記載の方法。
【請求項７】
タイマを取り消すことが、所定の解放命令を通信デバイスへ送付することをさらに含み、所定の解放命令が、タイマを取り消して、通信デバイスをアクセス状態からアイドル状態へ遷移させるように実施可能であり、それによって、通信デバイスが、情報をショートデータバーストフォーマットで送付することを可能にする請求項１記載の方法。
【請求項８】
無線インフラストラクチャの共通チャネル上で通信デバイスから情報を受信することをさらに含む請求項１記載の方法。
【請求項９】
通信デバイスから情報を受信することが、情報をショートデータバーストフォーマットで受信することをさらに含む請求項８記載の方法。
【請求項１０】
無線通信システムにおいて休止状態の目標の通信デバイスと情報を交換する方法であって、
無線インフラストラクチャによって休止状態の目標の通信デバイスの位置を特定し、それによって、通信デバイス上のタイマを起動することであって、タイマが、通信デバイスがデータをショートデータバーストフォーマットで送るのを、タイマが切れるまで妨げることと、
無線インフラストラクチャによって休止状態の目標の通信デバイスへ解放命令を送付することであって、解放命令が、タイマが切れる前に、それを取り消して、それによって、休止状態の目標の通信デバイスが、情報をショートデータバーストフォーマットで、無線インフラストラクチャへ送付し始めることを可能にするように実施可能であることとを含む方法。
【請求項１１】
前記休止状態の目標の通信デバイスの位置を特定することが、一般ページメッセージを休止状態の目標の通信デバイスへ送ることを含む請求項１０記載の方法。
【請求項１２】
前記一般ページが、サービスオプションを含む請求項１１記載の方法。
【請求項１３】
無線インフラストラクチャによって休止状態の目標の通信デバイスへ解放命令を送付する前に、情報を送付することをさらに含み、前記情報を送付することが、無線ネットワークの共通チャネル上で情報を送付することを含む請求項１０記載の方法。
【請求項１４】
前記情報を送付することが、情報をショートデータバーストとして送付することを含む請求項１３記載の方法。
【請求項１５】
休止状態の目標の通信デバイスが、解放命令を受信すると、アイドル状態へ遷移する請求項１０記載の方法。
【請求項１６】
通信デバイスから無線インフラストラクチャの共通チャネル上で情報を受信することをさらに含む請求項１０記載の方法。
【請求項１７】
通信デバイスから情報を受信することが、情報をショートデータバーストフォーマットで受信することをさらに含む請求項１６記載の方法。
【請求項１８】
無線通信システムにおいて休止状態の目標の通信デバイスと情報を交換する方法であって、
無線インフラストラクチャによって休止状態の目標の通信デバイスの位置を特定し、それによって、通信デバイス上のタイマを起動することであって、タイマが、通信デバイスがデータをショートデータバーストフォーマットで送るのを、タイマが切れるまで妨げることと、
無線インフラストラクチャによって所定のインジケータを休止状態の目標の通信デバイスへ送付することであって、所定のインジケータが、タイマが切れる前に、それを取り消して、休止状態の目標の通信デバイスが、所定のインジケータに基づいて、情報をショートデータバーストフォーマットで、無線インフラストラクチャへ送付し始めることを可能にするように実施可能であることとを含む方法。
【請求項１９】
前記休止状態の目標の通信デバイスの位置を特定することが、一般ページメッセージを休止状態の目標の通信デバイスへ送ることを含む請求項１８記載の方法。
【請求項２０】
前記一般ページが、データバーストフォーマットと関係付けられた所定のサービスオプションを含み、所定のインジケータが、所定のサービスオプションを含む請求項１９記載の方法。
【請求項２１】
前記送付することが、無線ネットワークの共通チャネル上で情報を送付することを含む請求項１８記載の方法。
【請求項２２】
前記送付することが、情報をショートデータバーストとして送付することを含む請求項２１記載の方法。
【請求項２３】
休止状態の目標の通信デバイスが、情報を受信すると、アイドル状態に直接に遷移する請求項２２記載の方法。
【請求項２４】
無線インフラストラクチャの共通チャネル上で通信デバイスから情報を受信することをさらに含む請求項１８記載の方法。
【請求項２５】
通信デバイスから情報を受信することが、情報をショートデータバーストフォーマットで受信することをさらに含む請求項２４記載の方法。
【請求項２６】
無線通信システムにおいて休止状態の目標の通信デバイスと情報を交換する方法を行うためのプログラムコードを記憶するコンピュータ読み出し可能媒体であって、方法が、
無線インフラストラクチャによって休止状態の目標の通信デバイスの位置を特定し、それによって、通信デバイス上のタイマを起動することであって、タイマが、通信デバイスがデータをショートデータバーストフォーマットで送るのを、タイマが切れるまで妨げることと、
通信デバイス上のタイマを、タイマが切れる前に、無線インフラストラクチャによって取り消して、休止状態の目標の通信デバイスが、情報をショートデータバーストフォーマットで、無線インフラストラクチャへ送付し始めることを可能にすることとを含むコンピュータ読み出し可能媒体。
【請求項２７】
無線通信システムにおいて休止状態の目標の通信デバイスと情報を交換する方法を行うためのプログラムコードを記憶するコンピュータ読み出し可能媒体であって、方法が、
無線インフラストラクチャによって休止状態の目標の通信デバイスの位置を特定し、それによって、通信デバイス上のタイマを起動することであって、タイマが、通信デバイスがデータをショートデータバーストフォーマットで送るのを、タイマが切れるまで妨げることと、
無線インフラストラクチャによって解放命令を休止状態の目標の通信デバイスへ送付することであって、解放命令が、タイマを、それが切れる前に取り消して、それによって、休止状態の目標の通信デバイスが、情報をショートデータバーストフォーマットで、無線インフラストラクチャへ送付し始めることを可能にするように実施可能であることとを含むコンピュータ読み出し可能媒体。
【請求項２８】
無線通信システムにおいて休止状態の目標の通信デバイスと情報を交換する方法を行うためのプログラムコードを記憶するコンピュータ読み出し可能媒体であって、方法が、
無線インフラストラクチャによって休止状態の目標の通信デバイスの位置を特定し、それによって、通信デバイス上のタイマを起動することであって、タイマが、通信デバイスがデータをショートデータバーストフォーマットで送るのを、タイマが切れるまで妨げることと、
無線インフラストラクチャによって所定のインジケータを休止状態の目標の通信デバイスへ送付することであって、所定のインジケータが、タイマが切れる前に、それを取り消して、休止状態の目標の通信デバイスが、所定のインジケータに基づいて、情報をショートデータバーストフォーマットで、無線インフラストラクチャへ送付し始めることを可能にするように実施可能であることとを含むコンピュータ読み出し可能媒体。
【請求項２９】
無線通信システムにおいて休止状態の目標の通信デバイスと情報を交換する装置であって、
無線インフラストラクチャによって休止状態の目標の通信デバイスの位置を特定し、それによって、通信デバイス上のタイマを起動する手段であって、タイマが、通信デバイスがデータをショートデータバーストフォーマットで送るのを、タイマが切れるまで妨げる手段と、
通信デバイス上のタイマを、タイマが切れる前に、無線インフラストラクチャによって取り消して、休止状態の目標の通信デバイスが、情報をショートデータバーストフォーマットで、無線インフラストラクチャへ送付し始めることを可能にする手段とを含む装置。
【請求項３０】
無線通信システムにおいて休止状態の目標の通信デバイスと情報を交換する装置であって、
無線インフラストラクチャによって休止状態の目標の通信デバイスの位置を特定し、それによって、通信デバイス上のタイマを起動する手段であって、タイマが、通信デバイスがデータをショートデータバーストフォーマットで送るのを、タイマが切れるまで妨げる手段と、
解放命令を休止状態の目標の通信デバイスへ送付する手段であって、解放命令が、タイマが切れる前に、それを取り消して、それによって、休止状態の通信デバイスが、情報をショートデータバーストフォーマットで、無線インフラストラクチャへ送付し始めることを可能にするように実施可能である手段とを含む装置。
【請求項３１】
無線通信システムにおいて休止状態の目標の通信デバイスと情報を交換する装置であって、
無線インフラストラクチャによって休止状態の目標の通信デバイスの位置を特定し、それによって、通信デバイス上のタイマを起動する手段であって、タイマが、通信デバイスがデータをショートデータバーストフォーマットで送るのを、タイマが切れるまで妨げる手段と、
無線インフラストラクチャによって所定のインジケータを休止状態の目標の通信デバイスへ送付する手段であって、所定のインジケータが、タイマが切れる前に、それを取り消して、休止状態の目標の通信デバイスが、所定のインジケータに基づいて、情報をショートデータバーストフォーマットで、無線インフラストラクチャへ送付し始めることを可能にするように実施可能である手段とを含む装置。
【請求項３２】
無線通信システムにおいて休止状態の目標の通信デバイスと情報を交換する装置であって、
メモリユニットと、
受信機と、
送信機と、
メモリユニット、受信機、および送信機に接続されたプロセッサとを含み、プロセッサが、
無線インフラストラクチャによって休止状態の目標の通信デバイスの位置を特定し、それによって、通信デバイス上のタイマを起動することであって、タイマが、通信デバイスがデータをショートデータバーストフォーマットで送るのを、タイマが切れるまで妨げることと、
通信デバイス上のタイマを、タイマが切れる前に、無線インフラストラクチャによって取り消して、休止状態の通信デバイスが、情報をショートデータバーストフォーマットで、無線インフラストラクチャへ送付し始めることを可能にすることとができる装置。
【請求項３３】
無線通信システムにおいて休止状態の目標の通信デバイスと情報を交換する装置であって、
メモリユニットと、
受信機と、
送信機と、
メモリユニット、受信機、および送信機に接続されたプロセッサとを含み、プロセッサが、
無線インフラストラクチャによって休止状態の目標の通信デバイスの位置を特定し、それによって、通信デバイス上のタイマを起動することであって、タイマが、通信デバイスがデータをショートデータバーストフォーマットで送るのを、タイマが切れるまで妨げることと、
休止状態の目標の通信デバイスへ解放命令を送付することであって、解放命令が、タイマが切れる前に、それを取り消して、それによって、休止状態の目標の通信デバイスが、情報をショートデータバーストフォーマットで、無線インフラストラクチャへ送付し始めることを可能にするように実施可能であることとができる装置。
【請求項３４】
無線通信システムにおいて休止状態の目標の通信デバイスと情報を交換する装置であって、
メモリユニットと、
受信機と、
送信機と、
メモリユニット、受信機、および送信機に接続されたプロセッサとを含み、プロセッサが、
無線インフラストラクチャによって休止状態の目標の通信デバイスの位置を特定し、それによって、通信デバイス上のタイマを起動することであって、タイマが、通信デバイスがデータをショートデータバーストフォーマットで送るのを、タイマが切れるまで妨げることと、
無線インフラストラクチャによって所定のインジケータを休止状態の目標の通信デバイスへ送付することであって、所定のインジケータが、タイマが切れる前に、それを取り消して、休止状態の目標の通信デバイスが、所定のインジケータに基づいて、情報をショートデータバーストフォーマットで、無線インフラストラクチャへ送付し始めることを可能にするように実施可能であることとができる装置。
【請求項３５】
無線通信システムにおいて休止状態の目標の通信デバイスと情報を交換する方法であって、
ページを無線通信システムを介して送付し、休止状態のパケットデータセッションをもっている目標の通信デバイスの位置を特定することと、
目標の通信デバイスに対するアクティブなパケットデータセッションの設定を起動するように実施可能な目標の通信デバイスからのページ応答を、無線通信システムを介して受信することであって、ページ応答が、目標の通信デバイスをアクセス状態へ遷移させ、タイマを始動させ、アクセス状態が、アクティブなパケットデータセッションを起動することと関係付けられていて、目標の通信デバイスが情報をショートデータバーストフォーマットで送付するのを妨げ、タイマが、無線インフラストラクチャがアクティブなパケットデータセッションを設定するのを待つ無線デバイスのための所定量の時間を含むことと、
目標の通信デバイス上のタイマを所定量の時間が切れる前に終了させるように実施可能な所定のインジケータを、無線通信システムを介して目標の通信デバイスへ送付し、目標の通信デバイスを、アクセス状態から、休止状態のパケットデータセッションと関係付けられたアイドル状態へ遷移させ、それによって、目標の通信デバイスが、無線インフラストラクチャを介して、情報をショートデータバーストフォーマットで送付し始めることを可能にすることとを含む方法。
【請求項３６】
所定のインジケータを送付することが、ページ応答を受信した後で、解放命令を送付することをさらに含む請求項３５記載の方法。
【請求項３７】
ページ応答を受信した後で、解放命令を送付する前に、情報をショートデータバーストフォーマットで、目標の無線デバイスへ送付することをさらに含む請求項３６記載の方法。
【請求項３８】
ページ応答を受信した後で、情報をショートデータバーストフォーマットで、目標の無線デバイスへ送付することと、
第１の肯定応答メッセージを目標の通信デバイスから受信し、第１の肯定応答メッセージが、目標の通信デバイスが送付された情報を受信したことを示すことと、
第２の肯定応答メッセージを目標の通信デバイスへ送付し、第２の肯定応答メッセージが、第１の肯定応答メッセージの受信を肯定応答し、第２の肯定応答メッセージが、所定のインジケータを含むこととをさらに含む請求項３５記載の方法。
【請求項３９】
所定のインジケータを送付した後で、無線通信システムの共通チャネル上で、通信デバイスから、情報をショートデータバーストフォーマットで受信することをさらに含む請求項３５記載の方法。